(57)【要約】      （修正有）【課題】この発明は、ドライバーの軸体にボルトが落ちないように保持させることができ、ボルトのねじ込み操作及び取り外し操作の作業性を向上することができるドライバーのボルト保持具を実現することを目的とする。【解決手段】この発明は、軸体の基端側にグリップ６を備えるとともに軸体の先端側に係合部８を備え、この係合部をボルト１０のボルト頭部１４に形成された係合溝１６に係合させて、グリップを握り軸体を回転させることによりボルトのねじ込み操作及び取り外し操作を行うドライバー２において、このドライバーの軸体にスライド移動可能に装着される筒状部材２０を設け、この筒状部材の基端側に軸体に対して筒状部材をスライド移動させるための操作部２２を設け、筒状部材の先端側にボルト頭部を磁力により吸着して保持する磁石部材２４を設けたことを特徴とする。【選択図】図１
2007222972.tif 000002
【特許請求の範囲】
【請求項１】
軸体の基端側にグリップを備えるとともに前記軸体の先端側に係合部を備え、この係合部をボルトのボルト頭部に形成された係合溝に係合させて、前記グリップを握り軸体を回転させることにより前記ボルトのねじ込み操作及び取り外し操作を行うドライバーにおいて、このドライバーの軸体にスライド移動可能に装着される筒状部材を設け、この筒状部材の基端側に前記軸体に対して筒状部材をスライド移動させるための操作部を設け、前記筒状部材の先端側に前記ボルト頭部を磁力により吸着して保持する磁石部材を設けたことを特徴とするドライバーのボルト保持具。
【請求項２】
軸体の基端側にグリップを備えるとともに前記軸体の先端側に係合部を備え、この係合部をボルトのボルト頭部に形成された係合溝に係合させて、前記グリップを握り軸体を回転させることにより前記ボルトのねじ込み操作及び取り外し操作を行うドライバーにおいて、このドライバーの軸体にスライド移動可能に装着される筒状部材を設け、この筒状部材の基端側に前記軸体に対して筒状部材をスライド移動させるための操作部を設け、前記筒状部材の先端側に前記ボルト頭部を径中心方向への弾性力により挟んで保持する保持部材を設け、この保持部材を弾性力に抗して径外方向に開かせるともに、この保持部材を弾性力により径中心方向に閉じさせる開閉部材を前記軸体の先端側に設けたことを特徴とするドライバーのボルト保持具。
【発明の詳細な説明】
【技術分野】
【０００１】
この発明はドライバーのボルト保持具に係り、特に、ドライバーの軸体にボルトが落ちないように保持させることができ、ボルトのねじ込み操作及び取り外し操作の作業性を向上することができるドライバーのボルト保持具に関する。
【背景技術】
【０００２】
ドライバーは、軸体の基端側にグリップを備えるとともに軸体の先端側に係合部を備えている。ドライバーは、係合部をボルトのボルト頭部に形成された係合溝に係合させて、グリップを握り軸体を回転させることによりボルトのボルトねじ軸部のねじ込み操作及び取り外し操作を行う。
【０００３】
ドライバーには、軸体の係合部をボルト頭部の係合溝に係合させた状態で、軸体からボルトが落ちないように保持させる機能を有するものがある。このドライバーは、ボルトを指で押さえておかなくてもねじ込み操作及び取り外し操作ができるため、ボルトを指で押さえるスペースが無い狭い箇所で、ボルトのねじ込み操作及び取り外し操作を行う場合に有効である。
【０００４】
従来のドライバーには、軸体の先端側の係合部を永久磁石により磁化させて、ボルトを磁力により係合部に吸着して保持するものがある。
【特許文献１】実開昭５７−２０２６６９号公報
【０００５】
また、従来のドライバには、軸体の先端側に形成した細径部にリング状磁石を係合部が突出するように装着し、このリング状磁石と軸体の係合部に係合されたボルト頭部との間にわずかなギャップを形成し、リング状磁石とボルト頭部とが接触しないようにボルトを磁力により係合部に吸着して保持するものがある。
【特許文献２】特開２０００−２９６４７４号公報
【発明の開示】
【発明が解決しようとする課題】
【０００６】
ところが、軸体の係合部を磁化させてボルト頭部を磁力により吸着して保持するドライバーにおいては、係合部の吸着力が弱いことからボルトを堅固に保持することができず、ボルトが動いてボルト頭部の係合溝から軸体の係合部が外れると、軸体からボルトが簡単に落ちてしまう問題があった。また、磁力によりボルトを保持するドライバーは、ボルトが非磁性材のステンレス等から形成されていると、磁力により吸着することができないため、ボルトを保持することができない問題があった。
このため、磁力によりボルトを保持するドライバーは、ボルトのねじ込み操作及び取り外し操作に手間がかかる問題があった。
【０００７】
この発明は、ドライバーの軸体にボルトが落ちないように確実に保持させることができ、ボルトのねじ込み操作及び取り外し操作の作業性を向上することができるドライバーのボルト保持具を実現することを目的とする。
【課題を解決するための手段】
【０００８】
この発明は、軸体の基端側にグリップを備えるとともに前記軸体の先端側に係合部を備え、この係合部をボルトのボルト頭部に形成された係合溝に係合させて、前記グリップを握り軸体を回転させることにより前記ボルトのねじ込み操作及び取り外し操作を行うドライバーにおいて、このドライバーの軸体にスライド移動可能に装着される筒状部材を設け、この筒状部材の基端側に前記軸体に対して筒状部材をスライド移動させるための操作部を設け、前記筒状部材の先端側に前記ボルト頭部を磁力により吸着して保持する磁石部材を設けたことを特徴とする。
また、この発明は、軸体の基端側にグリップを備えるとともに前記軸体の先端側に係合部を備え、この係合部をボルトのボルト頭部に形成された係合溝に係合させて、前記グリップを握り軸体を回転させることにより前記ボルトのねじ込み操作及び取り外し操作を行うドライバーにおいて、このドライバーの軸体にスライド移動可能に装着される筒状部材を設け、この筒状部材の基端側に前記軸体に対して筒状部材をスライド移動させるための操作部を設け、前記筒状部材の先端側に前記ボルト頭部を径中心方向への弾性力により挟んで保持する保持部材を設け、この保持部材を弾性力に抗して径外方向に開かせるともに、この保持部材を弾性力により径中心方向に閉じさせる開閉部材を前記軸体の先端側に設けたことを特徴とする。
【発明の効果】
【０００９】
この発明のドライバーのボルト保持具は、ドライバーの軸体に装着した筒状部材を基端側の操作部によりボルトの大きさに応じてスライド移動させて、軸体の係合部をボルト頭部の係合溝に係合させるとともに、筒状部材の先端側の磁石部材にボルト頭部を接触させることにより、軸体の係合部をボルト頭部の係合溝に係合させた状態で、磁石部材にボルト頭部を磁力により吸着させて、軸体にボルトを保持させることができる。
また、この発明のドライバーのボルト保持具は、ドライバーの軸体に装着した筒状部材を基端側の操作部によりスライド移動させて、軸体の先端側に設けた開閉部材により保持部材を弾性力に抗して径外方向に開かせて、ボルト頭部を挿入して軸体の係合部をボルト頭部の係合溝に係合させるとともに、軸体の先端側に設けた開閉部材により保持部材を弾性力により径中心方向に閉じさせることにより、軸体の係合部をボルト頭部の係合溝に係合させた状態で、保持部材に挿入されたボルト頭部を弾性力により挟んで、軸体にボルトを保持させることができる。
このため、この発明のドライバーのボルト保持具は、ドライバーの軸体にボルトが落ちないように確実に保持させることができ、ボルトを指で押さえておかなくてもねじ込み操作及び取り外し操作ができ、ボルトを指で押さえるスペースが無い狭い箇所でも、ボルトのねじ込み操作及び取り外し操作に容易に行うことができ、ボルトのねじ込み操作及び取り外し操作の作業性を向上することができる。
【発明を実施するための最良の形態】
【００１０】
この発明のドライバーのボルト保持具は、ドライバーの軸体に装着される筒状部材の先端側に設けた磁石部材あるいは保持部材によって、ドライバーの軸体にボルトが落ちないように確実に保持させることができるものである。
以下、図面に基づいて、この発明の実施例を説明する。
【実施例１】
【００１１】
図１〜図５は、この発明の第１実施例を示すものである。図１〜図３において、２はドライバー、４は軸体、６はグリップ、８は係合部、１０はボルト、１２はボルトねじ軸部、１４はボルト頭部、１６は係合溝である。ドライバー２は、軸体４の基端側にグリップ６を備えるとともに軸体４の先端側に係合部８を備えている。ボルト１０は、ボルトねじ軸部１２の基端側にボルト頭部１４を備え、ボルト頭部１４に係合溝１６が形成されている。
【００１２】
ドライバー２は、軸体４の先端側に形成された係合部８をボルト１０のボルト頭部１４に形成された係合溝１６に係合させて、グリップ６を握り軸体４を回転させることによりボルト１０のボルトねじ軸部１２のねじ込み操作及び取り外し操作を行う。
【００１３】
このドライバー２の軸体４からボルト１０が落ちないように保持させるボルト保持具１８は、図４・図５に示すように、筒状部材２０を設けている。筒状部材２０は、ドライバー２の軸体４にスライド移動可能に装着される。なお、この実施例の筒状部材２０は、ドライバー２の軸体４にスライド移動可能且つ回転移動可能に装着している。筒状部材２０は、内径をドライバー２の軸体４の外径と略同径に形成することにより、自由に抜け落ちない程度に軸体４に摺接係合され、軸体４に対して小さな操作力によりスライド移動可能且つ回転移動可能に装着される。
【００１４】
筒状部材２０の基端側には、ドライバー２の軸体４に対して筒状部材２０をスライド移動及び回転移動させるための操作部２２を設けている。操作部２２は、ゴム等の素材により円筒状に形成され、筒状部材２０の外周に固着されている。
【００１５】
また、筒状部材２０の先端側には、ボルト頭部１４を磁力により吸着して保持する磁石部材２４を設けている。磁石部材２４は、リング状に形成され、筒状部材２０の先端側外周に固着されている。磁石部材２４は、筒状部材２０の外周に固着した円錐筒状の支持部２６により背面側を支持される。
【００１６】
次に作用を説明する。
ドライバー２でボルト１０のねじ込み操作をする場合は、図１に示すように、まず、ボルト保持具１８の筒状部材２０の基端側からドライバー２の軸体４を挿入し、筒状部材２０を基端側の操作部２２によりボルト１０の大きさに応じて軸体４に対してスライド移動及び回転移動させ、ねじ込むボルト１０のボルト頭部１４の係合溝１６にドライバー２の軸体４の係合部８を係合させるとともに、ボルト保持具１８の筒状部材２０に設けた磁石部材２４にボルト頭部１４を接触させる。
【００１７】
これにより、ボルト保持具１８は、ドライバー２の軸体４の係合部８をボルト頭部１４の係合溝１６に係合させた状態で、磁石部材２４にボルト頭部１４を磁力により吸着させ、軸体４にボルト１０を保持させることができる。
【００１８】
次に、ドライバー２は、図２に示すように、係合溝１６に係合部８を係合させて磁石２４によりボルト１０を保持させた状態で、ボルト取り付け位置にボルトねじ軸部１２の先端側を当て、グリップ６を握り軸体４を締め付け方向に回転させることにより、ボルト１０のねじ込み操作を行う。
【００１９】
ボルト１０のねじ込み操作を完了した場合は、ドライバー２のグリップ６を握り引くことにより、図３に示すように、ねじ込まれたボルト１０のボルト頭部１４の係合溝１６から軸体４の係合部８を取り外し、ボルト保持具１８の磁石部材２４をボルト頭部１４から引き離すことができる。また、ボルト保持具１８は、必要に応じて、筒状部材２０の基端側からドライバー２の軸体４を引き抜いて、ドライバー２から取り外すことができる。
【００２０】
一方、ドライバー２でボルト１０の取り外し操作をする場合は、まず、ボルト保持具１８の筒状部材２０の基端側からドライバー２の軸体４を挿入し、筒状部材２０を基端側の操作部２２によりボルト１０の大きさに応じて軸体４に対してスライド移動及び回転移動させ、取り外すボルト１０のボルト頭部１４の係合溝１６にドライバー２の軸体４の係合部８を係合させるとともに、ボルト保持具１８の筒状部材２０に設けた磁石２４にボルト頭部１４を接触させる。
【００２１】
次に、ドライバー２は、係合溝１６に係合部８を係合させて磁石部材２４をボルト頭部１４に接触させた状態で、グリップ６を握り軸体４を緩め方向に回転させることにより、ボルト取り付け位置のボルトねじ軸部１２の締め付けを緩めて、ボルト１０の取り外し操作を行う。
【００２２】
これにより、ドライバー２は、軸体４の係合部８をボルト頭部１４の係合溝１６に係合させて、磁石部材２４にボルト頭部１４を磁力により吸着して軸体４にボルト１０を保持させた状態で、ボルト１０の取り外し操作を行うことができる。
【００２３】
ボルト１０の取り外し操作を完了した場合は、ボルト保持具１８の磁石２４からボルト頭部１４を引き離すことにより、軸体４の係合部８をボルト頭部１４の係合溝１６から取り外し、軸体４からボルト１０を取り外すことができる。また、ボルト保持具１８は、必要に応じて、筒状部材２０の基端側からドライバー２の軸体４を引き抜いて、ドライバー２から取り外すことができる。
【００２４】
このように、このドライバー２のボルト保持具１８は、ドライバー２の軸体４に装着した筒状部材２０を基端側の操作部２２によりボルト１０の大きさに応じてスライド移動させて、軸体４の係合部８をボルト頭部１４の係合溝１６に係合させるとともに、筒状部材２０の先端側の磁石部材２４にボルト頭部１４を接触させることにより、軸体４の係合部８をボルト頭部１４の係合溝１６に係合させた状態で、磁石部材２４にボルト頭部１４を磁力により吸着させ、軸体４にボルト１０を保持させることができる。
【００２５】
このため、このドライバー２のボルト保持具１８は、ドライバー２の軸体４にボルト１０が落ちないように確実に保持させることができ、ボルト１０を指で押さえておかなくてもねじ込み操作及び取り外し操作ができ、ボルト１０を指で押さえるスペースが無い狭い箇所でも、ボルト１０のねじ込み操作及び取り外し操作に容易に行うことができ、ボルト１０のねじ込み操作及び取り外し操作の作業性を向上することができる。
【実施例２】
【００２６】
図６〜図１４は、この発明の第２実施例を示すものである。なお、第２実施例において、第１実施例と同一機能を果たす箇所には、同一符号を付して説明する。図６において、２はドライバー、４は軸体、６はグリップ、８は係合部、１０はボルト、１２はボルトねじ軸部、１４はボルト頭部、１６は係合溝である。ドライバー２は、軸体４の基端側にグリップ６を備えるとともに軸体４の先端側に係合部８を備えている。ボルト１０は、ボルトねじ軸部１２の基端側にボルト頭部１４を備え、ボルト頭部１４に係合溝１６が形成されている。
【００２７】
ドライバー２は、軸体４の先端側に形成された係合部８をボルト１０のボルト頭部１４に形成された係合溝１６に係合させて、グリップ６を握り軸体４を回転させることによりボルト１０のボルトねじ軸部１２のねじ込み操作及び取り外し操作を行う。
【００２８】
このドライバー２の軸部４からボルト１０が落ちないように保持させるボルト保持具２８は、図１１・図１２に示すように、筒状部材３０を設けている。筒状部材３０は、ドライバー２の軸体４にスライド移動可能に装着される。なお、この実施例の筒状部材３０は、ドライバー２の軸体４にスライド移動可能且つ回転移動可能に装着している。筒状部材３０は、内径をドライバー２の軸体４の外径と略同径に形成することにより、自由に抜け落ちない程度に軸部４に摺接係合され、軸体４に対して小さな操作力によりスライド移動可能且つ回転移動可能に装着される。
【００２９】
筒状部材３０の基端側には、ドライバー２の軸体４に対して筒状部材３０をスライド移動及び回転移動させるための操作部３２を設けている。操作部３２は、ゴム等の素材により円筒状に形成され、筒状部材３０の外周に固着される。
【００３０】
また、筒状部材３０の先端側には、ボルト頭部１４を径中心方向への弾性力により挟んで保持する保持部材３４を設けている。保持部材３４は、筒状部材３０の先端側外周の円周方向等間隔位置に基端側を固着されるとともに、先端側を軸方向に突出される複数の薄板状の弾性素材から形成される。この実施例においては、薄板状の弾性素材から形成される３つの保持部材３４を設けている。
【００３１】
３つの保持部材３４は、図７〜図１０に示すように、各先端側に径中心方向に向かう自由端部３６を設け、この自由端部３６から径外方向に湾曲突出された後に径中心方向に湾曲突入される湾曲部３８を設け、この湾曲部３８の基端側の径中心方向に突入した突入縁部４０から径外方向に傾斜突出する傾斜部４２を設け、この傾斜部４２の基端側の径外方向に突出した突出縁部４４から径中心方向に傾斜突入する延長部４６を設け、延長部４６の基端側に固着端部４８を設けている。
【００３２】
３つの保持部材３４は、基端側の固着端部４８を筒状部材３０の先端側外周の円周方向等間隔位置に固着され、自由状態において自由端部３６がボルト頭部１４の外径よりも内側に位置されるように、ボルト頭部１４の径中心方向に向かって弾性付勢されている。湾曲部３８は、ボルト頭部１４の外周に弾性当接される。なお、固着端部４８は、筒状部材３０の外周に固着した円錐筒状のカバー部５０により覆われている。
【００３３】
３つの保持部材３４は、ドライバー２の軸体４の先端側に設けた開閉部材５２により、自由端部３６側を径外方向に開かれるとともに径中心方向に閉じられる。開閉部材５２は、図１３・図１４に示すように、ドライバー２の軸体４に嵌合される筒形状の嵌合部５４を設け、この嵌合部５４の先端側に径外方向に断面山形の円環形状に突出して前記保持部材３４に押圧される押圧部５６を設けている。
【００３４】
嵌合部５４は、内径をドライバー２の軸体４の外径と略同径に形成することにより、抜け落ちないようにきつく軸体４に圧入嵌合され、軸体４に対して大きな操作力によりスライド移動可能且つ回転移動可能に装着される。押圧部５６の外径は、自由状態の保持部材３４の突入縁部４０の内径よりも大きく形成されるとともに、自由状態の保持部材３４の突出縁部４４の内径よりも小さく形成される。
【００３５】
開閉部材５２は、筒状部材３０の先端側において、３つの保持部材３４に囲まれるように配設され、筒状部材３０に挿入されたドライバー２の軸体４の先端側に大きな操作力によりスライド移動可能且つ回転移動可能に装着される。
【００３６】
軸体４に装着された開閉部材５２は、押圧部５６が保持部材３４の傾斜部４２内側に押圧された状態から先端側（自由端部側）に移動され、押圧部５６が突入縁部４０に達すると、図８に示すように、先端側の自由端部３６を弾性力に抗して径外方向に最大に開かせる。
また、開閉部材５２は、押圧部５６が突入縁部４０に押圧された状態から先端側（自由端部側）にさらに移動され、押圧部５６が湾曲部３８内に達すると、図７に示すように、先端側の自由端部３６を弾性力に抗して最大の状態から径中心方向にわずかに閉じた状態に開かせる。
一方、開閉部材５２は、押圧部５６っが突入縁部４０に押圧された状態から基端側（固定端部側）に移動され、押圧部５６が傾斜部４２の基端側の突出縁部４４近傍に達すると、図９に示すように、先端側の自由端部３６を弾性力により径中心方向に閉じさせる。
【００３７】
次に作用を説明する。
ドライバー２でボルト１０のねじ込み操作をする場合は、図６に示すように、まず、ボルト保持具２８の筒状部材３０の基端側からドライバー２の軸体４を挿入し、筒状部材３０を基端側の操作部３２により軸体４に対してスライド移動及び回転移動させ、図１０に示すように、筒状部材３０の先端側の３つの保持部材３４に囲まれるように配設された開閉部材５２の嵌合部５４に軸体４を圧入嵌合し、軸体４の係合部８を押圧部５６側からわずかに突出させた状態で開閉部材５２を軸体４に装着する。
【００３８】
ボルト保持具２８は、開閉部材５２が装着された軸体４に対して操作部３２により筒状部材３０を基端側（矢印Ａ方向）にスライド移動させ、保持部材３４の傾斜部４２に押圧された押圧部５６が突入縁部４０を越えて移動されて湾曲部３８に押圧されると、図７に示すように、保持部材３４の自由端部３６が弾性力に抗して最大の状態から径中心方向にわずかに閉じた状態に開かれる。この状態において、ドライバー２の軸体４の係合部８は、自由端部３６からわずかに突出されている。
【００３９】
ドライバー２の軸体４の係合部８を自由端部３６からわずかに突出させた状態において、ボルト保持具２８は、ねじ込むボルト１０のボルト頭部１４の係合溝１６にドライバー２の軸体４の係合部８を係合させ、このボルト１０を軸体４に押し付けながら、軸体４に対して操作部３２により筒状部材３０を先端側（矢印Ｂ方向）にスライド移動させて、保持部材３４の湾曲部３８に押圧された押圧部５６が傾斜部４２側に移動されて突入縁部４０に押圧されると、図８に示すように、保持部材３４の自由端部３８が開かれてボルト頭部１４が湾曲部３８側に移動する。
【００４０】
ボルト保持具２８は、ボルト１０を押し付けた軸体４に対して操作部３２により筒状部材３０を先端側（矢印Ｂ方向）にさらにスライド移動させ、保持部材３４の突入縁部４０に押圧された押圧部５６が突出縁部４４側に移動されて傾斜部４２に押圧されると、図９に示すように、保持部材３４の自由端部３８が閉じられて湾曲部３８がボルト頭部１４に弾性当接される。
【００４１】
これにより、ドライバー２は、軸体４の係合部８をボルト頭部１４の係合溝１６に係合させた状態で、保持部材３４にボルト頭部１４を径中心方向への弾性力により挟んで軸体４にねじ込むボルト１０を保持させることができる。
【００４２】
次に、ドライバー２は、ボルト頭部１４の係合溝１６に軸体４の係合部８を係合させて保持部材３４によりボルト１０を保持させた状態で、ボルト取り付け位置にボルトねじ軸部１２の先端側を当て、グリップ６を握り軸体４を締め付け方向に回転させることにより、ボルト１０のボルトねじ軸部１２のねじ込み操作を行う。ボルト１０のねじ込み操作を完了した状態において、ボルト保持具２８は、保持部材３４の自由端部３６がボルト頭部１４の外周に弾性当接されている。
【００４３】
ボルト１０のねじ込み操作を完了した場合は、ドライバー２のグリップ６を握り引くことにより、図１０に示すように、ねじ込まれたボルト１０のボルト頭部１４の係合溝１６から軸部４の係合部８を取り外し、ボルト保持具２８の保持部材３４の自由端部３６からボルト頭部１４を取り外すことができる。また、ボルト保持具２８は、必要に応じて、筒状部材３０の基端側からドライバー２の軸体４を引き抜いて、ドライバー２から取り外すことができる。
【００４４】
一方、ドライバー２でボルト１０の取り外し操作をする場合は、まず、ボルト保持具２８の筒状部材３０の基端側からドライバー２の軸体４を挿入し、筒状部材３０を基端側の操作部３２により軸体４に対してスライド移動及び回転移動させ、筒状部材３０の先端側の３つの保持部材３４に囲まれるように配設された開閉部材５２の嵌合部５４に軸体４を圧入嵌合し、軸体４の係合部８を押圧部５６側からわずかに突出させた状態で開閉部材５２を軸体４に装着する。
【００４５】
ボルト保持具２８は、開閉部材５２が装着された軸体４に対して操作部３２により筒状部材３０を基端側（矢印Ａ方向）にスライド移動させ、保持部材３４の傾斜部４２に押圧された押圧部５６が突入縁部４０を越えて移動されて湾曲部３８に押圧されると、図７に示すように、保持部材３４の自由端部３６が弾性力に抗して最大の状態から径中心方向にわずかに閉じた状態に開かれる。この状態において、ドライバー２の軸体４の係合部８は、自由端部３６からわずかに突出されている。
【００４６】
ドライバー２の軸体４の係合部８を湾曲部３８からわずかに突出させた状態において、ボルト保持具２８は、取り外すボルト１０のボルト頭部１４の係合溝１６にドライバー２の軸体４の係合部８を係合させ、このボルト１０に軸体４を押し付けながら、軸体４に対して操作部３２により筒状部材３０を先端側（矢印Ｂ方向）にスライド移動させて、保持部材３４の湾曲部３８に押圧された押圧部５６が傾斜部４２側に移動されて突入縁部４０に押圧されると、図８に示すように、保持部材３４の自由端部３８が開かれてボルト頭部１４側に湾曲部３８が移動する。
【００４７】
ボルト保持具２８は、ボルト１０に押し付けた軸体４に対して操作部３２により筒状部材３０を先端側にさらにスライド移動させ、保持部材３４の突入縁部４０に押圧された押圧部５６が突出縁部４４側に移動されて傾斜部４２に押圧されると、保持部材３４の自由端部３８が閉じられて自由端部３８がボルト頭部１４の外周に弾性当接される。
【００４８】
次に、ドライバー２は、ボルト頭部１４の係合溝１６に軸体４の係合部８を係合させて保持部材３４の自由端部３８をボルト頭部１４外周に当接させた状態で、グリップ６を握り軸体４を緩め方向に回転させることにより、ボルト取り付け位置のボルトねじ軸部１２の締め付けを緩めて、ボルト１０の取り外し操作を行う。ボルト１０の取り外し操作を完了した状態において、ボルト保持具２８は、図９に示すように、保持部材３４の自由端部３６がボルト頭部１４の外周から外れ、ボルト頭部１４に湾曲部３８が弾性当接される。
【００４９】
これにより、ドライバー２は、軸体４の係合部８をボルト頭部１４の係合溝１６に係合させた状態で、保持部材３４にボルト頭部１４を径中心方向への弾性力により挟んで軸体４に取り外したボルト１０を保持させることができる。
【００５０】
ボルト１０の取り外し操作を完了した場合は、軸体４に対して筒状部材３０を基端側（矢印Ａ方向）にスライド移動させ、押圧部５６が湾曲部３８に押圧されると、ボルト保持具２８の保持部材３４からボルト頭部１４が押し出されて、軸体４の係合部８をボルト頭部１４の係合溝１６から取り外し、軸体４からボルト１０を取り外すことができる。また、ボルト保持具２８は、必要に応じて、筒状部材３０の基端側からドライバー２の軸体４を引き抜いて、ドライバー２から取り外すことができる。
【００５１】
このように、このドライバー２のボルト保持具２８は、ドライバー２の軸体４に装着した筒状部材３０を基端側の操作部３２によりスライド移動させて、軸体４の先端側に設けた開閉部材５２により保持部材３４を弾性力に抗して径外方向に開かせて、ボルト頭部１４を挿入して軸体４の係合部８をボルト頭部１４の係合溝１６に係合させるとともに、軸体４の先端側に設けた開閉部材５２により保持部材３４を弾性力により径中心方向に閉じさせることにより、軸体４の係合部８をボルト頭部１４の係合溝１６に係合させた状態で、保持部材３４に挿入されたボルト頭部１４を弾性力により挟んで、軸体４にボルト１０を保持させることができる。
【００５２】
このため、このドライバー２のボルト保持具２８は、ドライバー２の軸体４にボルト１０が落ちないように確実に保持させることができ、ボルト１０を指で押さえておかなくてもねじ込み操作及び取り外し操作ができ、ボルト１０を指で押さえるスペースが無い狭い箇所でも、ボルト１０のねじ込み操作及び取り外し操作に容易に行うことができ、ボルト１０のねじ込み操作及び取り外し操作の作業性を向上することができる。
【産業上の利用可能性】
【００５３】
この発明のドライバーのボルト保持具は、ドライバーの軸体に装着される筒状部材の先端側に設けた磁石部材あるいは保持部材によって、ドライバーの軸体にボルトが落ちないように確実に保持させることができるものであり、ボルトのねじ込み操作及び取り外し操作の作業性の向上に適用することができる。
【図面の簡単な説明】
【００５４】
【図１】第１実施例を示すドライバーに装着したボルト保持具の断面図である。
【図２】第１実施例を示す磁石部材にボルト頭部を吸着させた状態の拡大断面図である。
【図３】第１実施例を示す磁石部材からボルト頭部を引き離した状態の拡大断面図である。
【図４】第１実施例を示すボルト保持具の側面図である。
【図５】第１実施例を示すボルト保持具の正面図である。
【図６】第２実施例を示すドライバーに装着したボルト保持具の断面図である。
【図７】第２実施例を示す保持部材から突出された軸体の係合部をボルト頭部に係合させた状態の拡大断面図である。
【図８】第２実施例を示す保持部材の湾曲部側にボルト頭部が移動した状態の拡大断面図である。
【図９】第２実施例を示す保持部材の湾曲部がボルト頭部に弾性当接した状態の拡大断面図である。
【図１０】第２実施例を示す保持部材からボルト頭部を引き離した状態の拡大断面図である。
【図１１】第２実施例を示すボルト保持具の側面図である。
【図１２】第２実施例を示すボルト保持具の正面図である。
【図１３】第２実施例を示す開閉部材の断面図である。
【図１４】第２実施例を示す開閉部材の正面図である。
【符号の説明】
【００５５】
２  ドライバー
４  軸部
６  グリップ
８  係合部
１０  ボルト
１２  ボルトネジ軸部
１４  ボルト頭部
１６  係合溝
１８  ボルト保持具
２０  筒状部材
２２  操作部
２４  磁石部材
２８  ボルト保持具
３０  筒状部材
３２  操作部
３４  保持部材
５２  開閉部材
【図１】
2007222972.tif 000003
【図２】
2007222972.tif 000004
【図３】
2007222972.tif 000005
【図４】
2007222972.tif 000006
【図５】
2007222972.tif 000007
【図６】
2007222972.tif 000008
【図７】
2007222972.tif 000009
【図８】
2007222972.tif 000010
【図９】
2007222972.tif 000011
【図１０】
2007222972.tif 000012
【図１１】
2007222972.tif 000013
【図１２】
2007222972.tif 000014
【図１３】
2007222972.tif 000015
【図１４】
2007222972.tif 000016